(57)【要約】  【課題】冷蔵庫のドアスイッチに関し、安価で、耐久性に優れたスイッチを提供する。  【解決手段】前部が扉１４の上部まで一体的に迫り出したトップテーブル２の下面の開放部を閉塞するように取り付けられた補強部材１５に樹脂等で形成されたケース２０の中にホールＩＣ１８を組み込んでユニット化した基板１９が固定され、対応する磁石用ケース２３に収納された磁石２４とにより電子式のドアスイッチを形成しているので、耐久性に優れ、また、構造の簡略化が図れているから安価に製造することができる。さらに、環境対応のため可燃性冷媒を使用する場合も、非接触の電子式スイッチであるため安心して使用することができる。【選択図】図１
2005326058.tif 000002
【特許請求の範囲】
【請求項１】
前面に開口を有する断熱箱体と、前記開口を軸支することにより開閉自在に開封する扉と、前記断熱箱体の上面に設けられ前記扉の上部まで一体的に迫り出したトップテーブルと、前記トップテーブルの開放部下面に配置された補強部材とからなり、前記トップテーブルと前記補強部材とで形成された空洞部内にホールＩＣを組み込んでユニット化した基板と、前記扉に設けられた磁石とによりドアスイッチを構成したことを特徴とする冷蔵庫。
【請求項２】
前記基板を複数個収納したケースを所定の間隔で水平に配置された複数の扉の前記間隔上方に集中配置したことを特徴とする請求項１記載の冷蔵庫。
【請求項３】
前記ケースは前記基板の収納部と、前記収納部の底面周縁に設けられた鍔部と、弾力性を持たせた爪部を有し、前記鍔部には切り欠き溝を備え、補強部材に設けられた開口部に前記爪部を介して固定していることを特徴とした請求項１または２に記載の冷蔵庫。
【請求項４】
磁石を収納した磁石用ケースは、扉に設けた取付け部の勘合部と勘合することにより、扉の上面より飛び出さないように配置したことを特徴とした請求項１から３のいずれか一項に記載の冷蔵庫。
【請求項５】
磁石を収納した磁石用ケースは、上面周縁部に凹部を設け、前記磁石用ケースを扉に取り付けた時に、前記取付け部と間に溝が形成されることを特徴とした請求項４に記載の冷蔵庫。
【発明の詳細な説明】
【技術分野】
【０００１】
本発明は、ドアスイッチを備えた冷蔵庫に関するものである。
【背景技術】
【０００２】
近年、業務用冷蔵庫等に用いられるドアスイッチは扉を開けた時に庫内灯を点灯させたり、庫内冷却用ファンの駆動を停止するために使用されており、スイッチの機構としては、マイクロスイッチを備えた機械式のものやマグネット式のものがある。
【０００３】
従来のドアスイッチを備えた冷蔵庫としては、扉の支持軸にカムを設け、マイクロスイッチ等を開閉するもの（例えば、特許文献１参照）がある。
【０００４】
以下、図面を参照しながら上記従来のドアスイッチを有する冷蔵庫を説明する。
【０００５】
図１５は、従来の冷蔵庫の全体斜視図。図１６は、従来の冷蔵庫の要部分解斜視図である。図１５、図１６に示すように前面に開口を有する断熱箱体１と、前記断熱箱体１の天面に取り付けられたトップテーブル２と、第一枢軸３によって枢支された扉４と、前記断熱箱体１の開口縁部の下側に設けられた下ヒンジ５と、前記扉４の上部にヒンジ穴６を設けた補強部材７と、切り欠き部を設けた前記第一枢軸３と嵌合し、ヒンジ穴６からの落下防止する鍔部と、前記第一枢軸３との回転を防止する凸部を設けた第一補助枢軸８と先端にローラー９を有する揺動自在のスイッチ作動腕１０と、前記補強部材７の扉４とは反対側に固定されたマイクロスイッチ１１と、前記補強部材７にあるヒンジ穴６を通した前記第一補助枢軸８の上部に設けたカム１２と、前記断熱箱体１内を照らす庫内灯１３とから構成されている。
【０００６】
以上のように構成された冷蔵庫について、以下その動作を説明する。
【０００７】
扉４を開閉することにより、扉４の上部に設けた第一枢軸３と、補強部材７にあるヒンジ穴６を貫通し、ヒンジ穴６からの落下を防止する鍔部と第一枢軸３との回転を防止する凸部を設け、第一枢軸３と嵌合する第一補助枢軸８は、上部に設けたカム１２とともに回転し、カム１２と一部係合するスイッチ作動腕１０のローラー９がカム１２の外周上に沿って滑らかに転がることによって、マイクロスイッチ１１を開閉し、連動した庫内灯１３が点灯または消灯する。
【０００８】
また、スイッチの内部構造を非接触の近接センサを用いたもの（例えば、特許文献２参照）がある。
【特許文献１】特許第３３１３３２３号公報
【特許文献２】特開平８−２４７６４６号公報
【発明の開示】
【発明が解決しようとする課題】
【０００９】
しかしながら、上記従来の冷蔵庫のドアスイッチは、各部品のコストや組立工数も嵩みやすく、また、接点を有するため寿命も比較的短いという問題点があった。また、スイッチ接点を非接触のセンサを用いた場合にも、機械的に摺動する箇所が残り、業務用の冷蔵庫等のように頻繁に扉の開閉があるものは、故障の原因につながり易い。
【００１０】
本発明の目的は、安価で、耐久性に優れたドアスイッチを有する冷蔵庫を提供することを目的とする。
【００１１】
また、サービス性に優れたドアスイッチを有する冷蔵庫を提供することを目的とする。
【課題を解決するための手段】
【００１２】
上記従来の課題を解決するために、本発明の冷蔵庫は、前面に開口を有する断熱箱体と、前記開口を軸支することにより開閉自在に開封する扉と、前記断熱箱体の上面に設けられ前記扉の上部まで一体的にせり出したトップテーブルと、前記トップテーブルの開放部下面に配置された補強部材とからなり、前記トップテーブルと前記補強部材とで形成された空洞部内にホールＩＣを組み込んでユニット化した基板と、前記扉に設けられた磁石とによりドアスイッチを構成したものであり、非接触の電子式ドアスイッチとしたので耐久性に優れ、構造の簡略化が図れているため、品質が高く、さらに安価に製造することができる。
【発明の効果】
【００１３】
本発明の冷蔵庫は、非接触の電子式ドアスイッチとしたので耐久性に優れ、構造の簡略化が図れているから安価に製造することができる。また、組立工数も低減することができる。さらに、環境対応のため可燃性冷媒を使用する場合も、非接触の電子式スイッチであるため安心して使用することができる。さらに、水の浸入しにくいトップテーブル内に基板を設けたので漏電等の心配も少なく、防水処置にコストがかからない。
【発明を実施するための最良の形態】
【００１４】
請求項１記載の発明は、前面に開口を有する断熱箱体と、前記開口を軸支することにより開閉自在に開封する扉と、前記断熱箱体の上面に設けられ前記扉の上部まで一体的にせり出したトップテーブルと、前記トップテーブルの開放部下面に配置された補強部材とからなり、前記トップテーブルと前記補強部材とで形成された空洞部内にホールＩＣを組み込んでユニット化した基板と、前記扉に設けられた磁石とによりドアスイッチを構成したものであり、非接触の電子式ドアスイッチとしたので耐久性に優れ、構造の簡略化が図れているから安価に製造することができる。
【００１５】
請求項２記載の発明は、請求項１に記載の発明に、さらに、ホールＩＣを組み込んでユニット化した基板を複数個収納するケースを所定の間隔で水平に配置された複数の扉の間隔上方に集中配置したものであるため、部品点数を削減することができ、また、リード線の処理も同時に集中してできる。
【００１６】
請求項３記載の発明は、請求項１または２に記載の発明に、さらに、ケースはホールＩＣを組み込んでユニット化した基板の収納部と、収納部の底面周縁に設けられた鍔部と、弾力性を持たせた爪部を有し、鍔部には切り欠き溝を備え、補強部材に設けられた開口部に爪部を介して固定した構造となっているので、爪部を外すことによってワンタッチでケースを取り外すことができ、サービス性の向上を図ることができる。
【００１７】
請求項４記載の発明は、請求項１から３に記載の発明に、さらに、磁石を収納した磁石用ケースを、扉に設けた取付け部の勘合部と勘合することにより、扉の上面より飛び出さないように配置したものであり、引っ掛けたり、物を当てたりして磁石用ケースが破損しないようにすることができる。
【００１８】
請求項５記載の発明は、請求項１から４に記載の発明に、さらに、磁石を収納した磁石用ケースの上面周縁部に凹部を設け、前記磁石用ケースを扉に取り付けた時に、前記取付け部と間に溝が形成されたものであり、シーラーを注入するスペースを確保しているので、シーラーを確実に注入でき、水の浸入を防止できる。
【００１９】
以下、本発明による冷蔵庫の実施の形態について、図面を参照しながら説明する。なお、従来と同一構成については、同一符号を付して詳細な説明を省略する。
【００２０】
（実施の形態１）
図１は、本発明の実施の形態１による冷蔵庫の要部断面図である。図２は、同実施の形態の冷蔵庫の全体斜視図である。図３は、同実施の形態の冷蔵庫の要部分解斜視図である。
【００２１】
図１、図２、図３において断熱箱体１の上部にはキャップ状で、前部が扉１４の上部まで一体的に迫り出したトップテーブル２が取り付けられ、Ｌ字型形状の補強部材１５はトップテーブル２の下面の開放部を閉塞するように断熱箱体１の上部前面に固定される。扉１４の上部には枢軸１６が設けられ補強部材１５に設けられたヒンジ穴１７に差込まれている。ホールＩＣ１８を組み込んでユニット化した基板１９が樹脂等で形成されたケース２０に収納され、各ヒンジ穴１７の近傍に設けられた開口部２１に嵌め込まれ、ビス２２で固定される。扉１４の上面にはホールＩＣ１８に対向した位置に、磁石用ケース２３に収納された磁石２４が取り付けられる。さらに、デジタル信号を伝達するリード線２５が基板１９には接続されている。ここで搭載されている冷却ユニットの冷媒の種類は特に限定していないが、環境対応のため可燃性のＨＣ冷媒を使用する場合、非接触のホールＩＣ１８をドアスイッチに用いることは冷媒が万が一漏洩した場合でも防爆の点から特に好ましい。また、補強部材１５は、補強部材１５とヒンジを形成する部分が途中分割された構成のものにホールＩＣ１８を組み込んでユニット化した基板１９を取り付けても良い。
【００２２】
以上のように構成された冷蔵庫について、以下その動作を説明する。
【００２３】
扉１４を開閉することにより、扉１４の上部の磁石用ケース２３に収納された磁石２４とホールＩＣ１８との距離が近づいたり、離れたりする。その際の磁場を検出しデジタル信号を出力することにより連動した庫内灯１３が点灯または消灯する。
【００２４】
以上のように本実施の形態の冷蔵庫は前部が扉１４の上部まで一体的に迫り出したトップテーブル２の下面の開放部を閉塞するように取り付けられた補強部材１５に樹脂等で形成されたケース２０の中にホールＩＣ１８を組み込んでユニット化した基板１９が固定され、対応する磁石用ケース２３に収納された磁石２４とによりドアスイッチを構成しているので、耐久性に優れ、また、構造の簡略化が図れているから安価に製造することができる。さらに、環境対応のため可燃性冷媒を使用する場合も、非接触の電子式スイッチであるため安心して使用することができる。さらに、水の浸入しにくいトップテーブル２内に基板１９を設けたので漏電等の心配も少なく、防水処置にコストがかからない。
【００２５】
なお、本実施の形態において、スイッチ機構にホールＩＣ１８を用いたが、磁気トランジスタといった、その他の非接触の電子式スイッチを用いてもよい。
【００２６】
（実施の形態２）
図４は、本発明の実施の形態２による冷蔵庫の要部斜視図である。図５は、同実施の形態の冷蔵庫の全体斜視図である。
【００２７】
図４、図５において、所定の間隔で水平に配置された扉２６のうち近接した２枚の扉２６が観音開きになる場合、前記間隔上方のトップテーブル２と補強部材２７に囲まれた空洞部内に、ホールＩＣ１８を組み込んでユニット化した基板１９を水平に２個収納したケース２８が取り付けられ、磁石用ケース２３に収納された磁石２４がホールＩＣ１８に対応するように、各扉２６上面の枢軸１６から離れたコーナー部に固定された構成となっている。
【００２８】
本実施の形態は、実施の形態１による冷蔵庫に、さらに、ホールＩＣ１８を集中配置したものである。
【００２９】
以上のように構成された冷蔵庫について、以下その動作を説明する。
【００３０】
片方の扉２６を開けると、ケース２８内の対になる一方のホールＩＣ１８がデジタル信号を出力する。また、もう片方の扉２６を開けると、ケース２８内の残りのホールＩＣ１８がデジタル信号を出力することにより連動した庫内灯１３が点灯または消灯する。
【００３１】
以上のように本実施の形態の冷蔵庫は所定の間隔で水平に配置された扉２６のうち近接した２枚の扉２６が観音開きになる場合、前記間隔上方のトップテーブル２と補強部材２７に囲まれた空洞部内に、ホールＩＣ１８を組み込んでユニット化した基板１９を水平に２個収納したケース２８を取り付け、集中配置することで、組立作業を集中的に行え、また、配線処理も同時に行うことができる。
【００３２】
（実施の形態３）
図６は、本発明の実施の形態３による冷蔵庫の要部拡大斜視図である。図７は、同実施の形態の冷蔵庫の要部斜視図である。図８、図９は、同実施の形態の冷蔵庫の動作説明図である。
【００３３】
図６、図７、図８、図９において、ホールＩＣ１９を組み込んでユニット化した基板１９を収納するケース２９は前記基板１９の収納部３０と、前記収納部の底面周縁に設けられた鍔部３１と、弾力性を持たせた爪部３２を有し、前記鍔部３１には切り欠き溝３３を備え、補強部材３４に設けられた開口部３５に前記爪部３２を介して固定されている。さらに、基板１９につながれているリード線３６は一定の弛みをもたせるように固定具３７で保持されている。
【００３４】
以上のように構成された冷蔵庫について、以下その動作を説明する。
【００３５】
冷蔵庫を設置後、ホールＩＣ１８を交換する場合、鍔部３１に設けられた切り欠き溝３３に爪を引っ掛け引っ張ると、弾力性を持たせた爪部３２が外れ、ケース２９を引き出すことができる。また、この時、リード線３６は一定の弛みをもたせるように固定具３７で保持されているので、リード線３６が突っ張って外れにくかったり、傷付けたりすることを改善できる。
【００３６】
以上のように本実施の形態の冷蔵庫は、ホールＩＣ１８を組み込んでユニット化した基板１９を収納するケース２９は前記基板１９の収納部３０と、前記収納部の底面周縁に設けられた鍔部３１と、弾力性を持たせた爪部３２を有し、前記鍔部３１には切り欠き溝３３を備え、補強部材３４に設けられた開口部３５に前記爪部３２を介して固定されている。さらに、基板１９につながれているリード線３６は一定の弛みをもたせるように固定具３７で保持されているのでワンタッチでケース２９を取り出すことができ、部品交換が容易である。
【００３７】
（実施の形態４）
図１０は、本発明の実施の形態４による冷蔵庫の要部斜視図である。図１１は、同実施の形態の冷蔵庫の要部分解斜視図である。図１２は、同実施の形態の冷蔵庫の要部断面図である。
【００３８】
図１０、図１１、図１２において、扉３８の上面には下方にフランジ部３９を有する角穴４０が設けられ、磁石４１を収納した磁石用ケース４２が取り付けられている。フランジ部３９の面には角穴４３が設けられ、磁石用ケース４２に設けられた矢印状の爪４４が嵌合される。
【００３９】
以上のように構成された冷蔵庫について、以下その動作を説明する。
【００４０】
磁石用ケース４２の位置決めをする場合、フランジ部３９の面に設けられた角穴４３に、磁石用ケース４２に設けられた矢印状の爪４４が嵌合され、上下方向の位置が規制される。角穴４３と爪４４の関係寸法は、嵌合時に磁石用ケース４２の上面が扉３８の上面と同一面になるように位置が決められている。
【００４１】
以上のように本実施の形態の冷蔵庫は、磁石４１を収納した磁石用ケース４２が、扉３８の上面より飛び出さないように配置されているので、引っ掛けたり、物を当てたりして磁石用ケースが破損しないようにすることができる。また、角穴４３と爪４４を嵌合させているので確実に位置決めができる。
【００４２】
（実施の形態５）
図１３は、本発明の実施の形態４による冷蔵庫の要部分解斜視図である。図１４は、同実施の形態の冷蔵庫の要部断面図である。
【００４３】
図１３、図１４において、磁石４１を収納した磁石用ケース４５は、上面縁部全周に溝４６が設けられ、シーラー４７が全周に注入されている。シーラー４７としてはシリコンシーラーが使用でき、シール性の点から好ましい。
【００４４】
以上のように構成された冷蔵庫について、以下その動作を説明する。
【００４５】
磁石用ケース４５は、組み付けられた後、溝４６にシーラーが注入され、磁石用ケース４５と、角穴４０との隙間をシールする。
【００４６】
以上のように本実施の形態の冷蔵庫は、磁石用ケース４５は、上面縁部全周に凹部の溝４６が設けられ、シーラー４７が全周に注入されているので、シーラー４７の接着面積を増やすことができ、剥がれにくくなる。また、扉３８内への水の浸入を防止することができ、水による断熱性劣化を防ぐことができる。
【産業上の利用可能性】
【００４７】
以上のように、本発明にかかる冷蔵庫は、非接触の電子式ドアスイッチとしたので耐久性に優れ、構造の簡略化が図れているから安価に製造することができ、防水、防塵を要求される扉構造に応用できる。
【図面の簡単な説明】
【００４８】
【図１】本発明の実施の形態１における冷蔵庫の要部断面図
【図２】本発明の実施の形態１における冷蔵庫の全体斜視図
【図３】本発明の実施の形態１における冷蔵庫の要部分解斜視図
【図４】本発明の実施の形態２における冷蔵庫の要部斜視図
【図５】本発明の実施の形態２における冷蔵庫の全体斜視図
【図６】本発明の実施の形態３における冷蔵庫の要部拡大斜視図
【図７】本発明の実施の形態３における冷蔵庫の要部斜視図
【図８】本発明の実施の形態３における冷蔵庫の動作説明図
【図９】本発明の実施の形態３における冷蔵庫の動作説明図
【図１０】本発明の実施の形態４における冷蔵庫の要部斜視図
【図１１】本発明の実施の形態４における冷蔵庫の要部分解斜視図
【図１２】本発明の実施の形態４における冷蔵庫の要部断面図
【図１３】本発明の実施の形態５における冷蔵庫の要部分解斜視図
【図１４】本発明の実施の形態５における冷蔵庫の要部断面図
【図１５】従来の冷蔵庫の全体斜視図
【図１６】従来の冷蔵庫の要部分解斜視図
【符号の説明】
【００４９】
１    断熱箱体
２    トップテーブル
１３  庫内灯
１４  扉
１５  補強部材
１８  ホールＩＣ
１９  基板
２４  磁石
２６  扉
２８  ケース
２９  ケース
３０  収納部
３１  鍔部
３２  爪部
３３  切り欠き溝
３４  補強部材
３５  開口部
３８  扉
３９  フランジ部
４０  角穴
４１  磁石
４２  磁石用ケース
４３  角穴
４４  爪
４５  磁石用ケース
４６  溝
【図１】
2005326058.tif 000003
【図２】
2005326058.tif 000004
【図３】
2005326058.tif 000005
【図４】
2005326058.tif 000006
【図５】
2005326058.tif 000007
【図６】
2005326058.tif 000008
【図７】
2005326058.tif 000009
【図８】
2005326058.tif 000010
【図９】
2005326058.tif 000011
【図１０】
2005326058.tif 000012
【図１１】
2005326058.tif 000013
【図１２】
2005326058.tif 000014
【図１３】
2005326058.tif 000015
【図１４】
2005326058.tif 000016
【図１５】
2005326058.tif 000017
【図１６】
2005326058.tif 000018